(57)【特許請求の範囲】
【請求項１】
橋脚部に固定される排水下管側の集水ますと、高架橋路床面部に固定される排水上管とが遊嵌される部分に、前記排水上管に挿通させるための外周端部に高さの小さなフランジを備えたドーナッツ状円盤板状体からなり、半径方向に一条のスリットを設けてなる集水ますキャップを被せることを特徴とする高架橋排水管の接続構造。
【発明の詳細な説明】
【０００１】
【発明の属する技術分野】
本発明は、鉄道・道路の高架橋上の雨水等を地上の下水管や側溝等に流すための高架橋排水管の接続構造に関するものである。
【０００２】
【従来の技術】
従来の高架橋排水管の接続構造は、一般に、図１に示すように、橋脚部１の側面に沿って上方に向けて取付け固定された排水下管２の頂部に設けられた集水ます５内に、高架橋路床面部３に取付け固定され、その下面若しくはその側縁部から伸びる排水上管４の下端部が遊嵌された構成である。
鉄道・道路の高架橋は、車両の走行によって生じる振動による揺れが、高架橋路床面部３と橋脚部１とでは異なるため、橋脚部１に固定された排水下管２と高架橋路床面部３に固定された排水上管４とを一体状に接合すると、上記異なる揺れにより、接合部で接続管の破損や外れの原因となる。
そこで、上記揺れの影響を防止するため、排水上管４の下端部を、前記集水ます５内に遊嵌状に配置させ、集水ます５と排水上管４との間の隙間でその揺れの相違を吸収する構成としていた。
【０００３】
【発明が解決しようとする課題】
しかし、上記集水ます５と排水上管４との隙間に蓋をしていないため、落ち葉等や塵が集水ます５内に入り込み易く、それらが集水ます５内に堆積する等して排水管を詰まらせ、排水機能を損なうという問題があった。
排水管の詰まりによる、集水ますや排水管の取り替え若しくは清掃は、集水ます５や排水管が、通常、高所にあるため、作業は大掛かりなものとなり費用も嵩むという難点があった。
【０００４】
したがって、本発明の課題は、橋脚部１と高架橋路床面部３とにそれぞれ固定される排水下管２と排水上管４とを遊嵌状に接続する集水ます５に落ち葉等や塵が入り込まないようにして、排水機能に優れた高架橋排水管の接続構造を提供することを目的とする。
【０００５】
【課題を解決するための手段】
上記課題を解決するため、本発明の高架橋排水管の接続構造は、橋脚部に固定される排水下管側の集水ますと、高架橋路床面部に固定される排水上管とが遊嵌される部分に、前記排水上管に挿通させるための外周端部に高さの小さなフランジを備えたドーナッツ状円盤板状体からなり、半径方向に一条のスリットを設けてなる集水ますキャップを被せることを特徴とする。
【０００６】
【発明の実施の形態】
以下、本発明の高架橋排水管の接続構造を添付図面に基づいて説明する。
図１は、本発明の高架橋排水管の接続構造の全体構造を示す概略断面図である。図２は、本発明の高架橋排水管の接続構造のうち、集水ますキャップの一例を示す概略断面図であり、図３は、本発明の高架橋排水管の接続構造の他の例を示す排水ます近傍の概略断面図であり、図４は、本発明の高架橋排水管の接続構造のさらに他の例を示す排水ます近傍の概略断面図である。また、図５は、本発明の高架橋排水管の接続構造の別の例を示す集水ますキャップの平面図である。
【０００７】
本発明の高架橋排水管の接続構造は、図１に示すように、橋脚部１の側面に沿って上方に向けて固定された排水下管２と、高架橋路床面部３に固定され、路床面から下面方向に伸びる排水上管４とが、集水ます５を介して遊嵌状に接続しているものであって、排水下管２と集水ます５との間の隙間を塞ぐために、集水ますキャップ６を被せた構成である。
集水ますキャップ６は、橋脚と高架橋路床面部との振動周期・振動強度の相違に基づくそれぞれに固定された排水管への過度の応力集中を回避するための集水ますの機能を妨げることなく、同時に排水管（排水上管）と集水ますとの隙間から落ち葉等や塵が集水ます５内に侵入するのを防止し、排水管内の水の流れを、円滑にして排水機能を向上させるものである。
【０００８】
本発明の高架橋排水管の接続構造に使用される集水ますキャップとしては、前述の機能を果たすものであれば、その形状・材質に格別の制限はない。
図２は、本発明の高架橋排水管の接続構造のうち、集水ますキャップの一例を示すもので、中心部に排水上管４を遊嵌する中央穴７を有するドーナッツ円盤状の外端部に高さの小さいフランジ８を備えた集水ますキャップ６（６1）である。集水ますキャップ６（６1）のフランジ８の内径は、集水ます５の外径より若干大きく設定されており、橋脚部１と高架橋路床面部３との振動周期・振動幅の相違に基づく横方向の集水ますキャップ６（６1）の横ずれによっても集水ます５上部に落ち葉その他の塵・異物の入り込む隙間を形成されないようにしている。
なお、中央穴７の穴径は、排水上管４に差し込む現場作業に便利なように排水上管４の管径よりも若干大きくしておくことが好ましい。必要があれば、集水ますキャップ６（６1）と排水上管４との隙間は、シーラントで封止しておくことができる。
【０００９】
集水ますキャップ外周にフランジを設けず、集水ますキャップ外周の下面にアールを付与しておくこともできる。アールを付けておくことによって、集水ますキャップの横ずれが大きくて、集水ますキャップが集水ますの端部から一時的に外れる場合があっても、逆方向の横応力による移動に際して集水ますキャップが集水ます上に復帰することが容易になるという効果が得られる。
集水ますキャップと排水上管との隙間をシーラントで封止することに替えて、図３に示すように、隙間埋めジョイント９を用いることもできる。隙間埋めジョイント９は、隙間埋めジョイント９の排水上管４側端部で排水上管４にバンド止め具１０を用いて隙間が生じないように固定し、隙間埋めジョイント９の他端は、集水ますキャップ６と余裕を持って係合する雌型受容部１１を構成している。隙間埋めジョイント９そのものをゴム製材料等によって構成すれば、橋脚部と高架橋路床面部との振動相違に対応する性能がより向上する。
【００１０】
集水ますキャップそのものを橋脚部と高架橋路床面部との振動相違に対応する性能を有するものとすることもできる。
図４に示すように、集水ますキャップ６（６3）の両端にパイプ接続部１２および集水ます接続部１３を形成し、両接続部間を蛇腹状伸縮部１４で連結することができる。パイプ接続部１２と排水上管４との間、集水ます接続部１３と集水ます５との間は、それぞれバンド止め具１０で固定する。蛇腹状伸縮部１４の変形によって、橋脚と高架橋路床面部との振動相違に柔軟に対応することができる。
集水ますキャップ６（６3）をゴム等で形成すれば、蛇腹形状による振動相違への対応がより的確になる。
【００１１】
以上に説明した集水ますキャップ６（６1、６2、６3）は、いずれも高架橋排水管の接続構造を新設または取り替える場合に適用できるが、集水ますに集水ますキャップを用いていない既設の高架橋排水管の接続部には、適用できない。集水ますキャップを用いていない既設の高架橋排水管の接続部に後から適用できる集水ますキャップとして、図５に示すものが提供される。
図５に示す集水ますキャップ６（６4）は、ドーナッツ状円盤板状体からなり、半径方向に一条のスリット１５が形成されている。このスリット１５は、０．１〜２ｍｍの幅であって、使用に際しては、このスリット１５を利用して、集水ますキャップ６（６4）をひねるようにして開き、この開いた空隙に排水上管４を挟み込むように通して中心孔７に排水上管４を入れ、集水ます５に蓋をすることができる。
また、ドーナッツ状円盤板状体の内周部を外周部より高くすることにより、異物が外周部より滑り落ち易くなる。
【００１２】
図５に示す集水ますキャップ６（６4）の場合、必要であれば、スリット１５をシリコーンシーラントやエポキシ樹脂等で充填して隙間を埋めるようにすることもできる。
さらに別の態様としては、図示は省略するが、図４に示す集水ますキャップ６（６3）を直径で半裁した形状を基本とし、切断端部に相当する部分をそれぞれ適宜外方に延長したもの２つを、重なり部分を作りながら排水上管および集水ますを両側から包み込むようにすることもできる。
集水ますキャップを構成する素材としては、適宜のものが選択され得る。ＳＵＳなどの金属薄板や、ポリ塩化ビニル系樹脂、ポリエチレンテレフタレート、ポリカーボネート、ポリエチレン、ポリプロピレンなどの合成樹脂、ＮＢＲ、ＳＢＲ、ＥＰＤＭなどのゴム等でも良い。
【００１３】
【発明の効果】
本発明の高架橋排水管の接続構造によれば、橋脚部１と高架橋路床面部３とにそれぞれ固定される排水管の接続部分にかかる振動や曲げ応力等による外力に対して優れた耐性を有し、かつ、落ち葉その他の塵・異物の侵入が阻止されるので排水機能に優れた高架橋排水管の接続構造を提供することできる。
【図面の簡単な説明】
【図１】  本発明の高架橋排水管の接続構造の全体構造を示す概略断面図である。
【図２】  本発明の高架橋排水管の接続構造のうち、集水ますキャップの一例を示す概略断面図である。
【図３】  本発明の高架橋排水管の接続構造の他の例を示す集水ます近傍の概略断面図である。
【図４】  本発明の高架橋排水管の接続構造のさらに他の例を示す集水ます近傍の概略断面図である。
【図５】  本発明の高架橋排水管の接続構造の別の例を示す集水ますキャップの平面図である。
【符号の説明】
１：橋脚部
２：排水下管
３：高架橋路床面部
４：排水上管
５：集水ます
６（６1、６2、６3、６4）：集水ますキャップ
７：中央穴
８：フランジ
９：隙間埋めジョイント
１０：バンド止め具
１１：雌型受容部
１２：パイプ接続部
１３：集水ます接続部
１４：蛇腹状伸縮部
１５：スリット
【図１】
0003948997.tif 000002
【図２】
0003948997.tif 000003
【図３】
0003948997.tif 000004
【図４】
0003948997.tif 000005
【図５】
0003948997.tif 000006